(57)【特許請求の範囲】
【請求項１】
機器の運転または停止を指示する運転制御部と、バーナ部と、このバーナ部の燃焼により発生する燃焼熱で温水を加熱するための温水熱交換器と、この温水熱交換器に連設し温水を循環する温水循環手段と、温水温度を検出する温水温度検出器と、この温水温度検出器からの温度信号を温水温度データに変換する温水温度演算部と、温水温度設定を行う温水温度設定部と、この温水温度設定値と前記温水温度データを比較する第２比較部と、この第２比較部の比較結果により燃焼を制御する燃焼量制御部および燃焼制御部を備えた熱源機と、前記温水循環手段により温水熱交換器で加熱された温水の循環経路を形成する温水管経路と、この温水管経路の一端に設け前記温水熱交換器で加熱された温水を熱交換する熱交換器と、この熱交換器に送風して温風を吹き出す温風ファンと、温風吹出口に設け温風の吹出角度を可変する可変翼と、この可変翼の傾斜角度制御を行う可変翼制御部と、空気吸込口近傍に配設し室内の温度を検出する室温検出器と、この室温検出器からの温度信号を室温データに変換する室温演算部と、室温設定を行う室温設定部と、この室温設定値と前記室温データを比較する第１比較部と、この第１比較部の比較結果の信号により送風量を設定する送風量設定部と、前記運転制御部の運転指示が運転から停止に切り替わったことによる温風ファンの停止の場合と前記運転指示が運転中のままであり且つ前記送風量設定部からの送風量の指示が送風量ゼロ（温風ファン停止）の条件であった場合とを判別する温風ファン停止条件判別手段と、この温風ファン停止条件判別手段にて判別された内容が前記運転指示は運転中のままであり且つ前記送風量設定部からの送風量の指示が送風量ゼロ（温風ファン停止）の条件であった場合には、温風ファンを即停止させずに温風ファンを最低回転数まで所定時間をかけて徐々に落としていき、最低回転数に到達した時点で停止させるような温風ファン停止遅延手段と、この温風ファン停止遅延手段と前記送風量設定部の信号に基づき温風モータに動作信号を出力する送風量制御部を備えた放熱機からなる温水暖房装置。
【請求項２】
送風量設定部による送風量の設定要因として、前記温風ファンの送風量を室温設定値と室温の比較結果に基づいて設定される送風量目標値１と前記温水温度演算部の温水温度データに応じて設定された送風量目標値２の比較結果により設定するように構成し、前記温風ファン停止条件判別手段にて前記運転指示が運転中のままであり且つ前記送風量設定部からの送風量の指示が送風量ゼロ（温風ファン停止）の条件であると判別した際に、それが送風量目標値１によるものか送風量目標値２によるものなのかも判別するようにすることで、この温風ファン停止条件判別手段にて判別された内容が前記運転指示は運転中のままであり且つ前記送風量設定部からの送風量の指示が送風量目標値１による送風量ゼロ（温風ファン停止）の条件であった場合には、温風ファンを即停止させずに温風ファンを最低回転数まで所定時間当たり所定回転数づつ徐々に回転数を落としていき、最低回転数に到達した時点で停止させるような温風ファン停止遅延手段とからなる請求項１記載の温水暖房装置。
【請求項３】
可変翼制御部は温風ファン停止のタイミングにて可変翼の傾斜角度を略垂直角度（温風吹出口を閉める角度）に動作させるように構成した請求項１または２記載の温水暖房装置。
【請求項４】
可変翼制御部は前記温風ファン停止条件判別手段にて判別された内容が前記運転指示は運転中のままであり且つ前記送風量設定部からの送風量の指示が送風量ゼロ（温風ファン停止）の条件であった場合には、温風ファンが停止しても可変翼の傾斜角度を略垂直角度（温風吹出口を閉める角度）に動作させずに特定角度にて設定するように構成した請求項１または２記載の温水暖房装置。
【請求項５】
可変翼制御部は前記温風ファン停止条件判別手段にて判別された内容が前記運転指示は運転中のままであり且つ前記送風量設定部からの送風量の指示が前記送風量目標値１による送風量ゼロ（温風ファン停止）の条件であった場合には、温風ファンが停止しても可変翼の傾斜角度を略垂直角度（温風吹出口を閉める角度）に動作させずに特定角度にて設定するように構成した請求項２記載の温水暖房装置。
【請求項６】
可変翼制御部は前記温風ファン停止条件判別手段にて判別された内容が前記運転指示は運転中のままであり且つ前記送風量設定部からの送風量の指示が前記送風量目標値２による送風量ゼロ（温風ファン停止）の条件であった場合には、温風ファンが停止しても可変翼の傾斜角度を略垂直角度（温風吹出口を閉める角度）に動作させずに特定角度にて設定するように構成した請求項２記載の温水暖房装置。
【発明の詳細な説明】
【０００１】
【発明の属する技術分野】
本発明は温水を用いて暖房を行う温水暖房装置に関するものである。
【０００２】
【従来の技術】
従来この種の温水暖房装置は、図６に示されるような構成をとっている。
【０００３】
室外に温水を加熱する熱源機６０を設け、この温水を熱源機６０に内蔵する温水循環手段６１により温水配管６２を介して室内に設置した熱交換器６４と温風ファン６５を内蔵する放熱機６３に循環し、温風ファン６５からの送風を熱交換器６４で熱交換して温風吹出口６６から吹出し室内を暖房するようになっている。そして、上記熱源機６０側には温水温度を検出する温水温度検出器６８が設けられ、予め設定された設定温度または温度調節器などで設定される設定温度と前記温水温度を比較して温水温度が設定温度以上になると前記熱源機６０を停止するように構成されている。このように固定された設定温度と温水温度を比較して熱源機６０の運転制御を行うため温水温度は室内温度に関係なく一定の温度となるものであった。また、放熱機６３側にも室温を検出する室温検出器６９と室温を設定する室温設定部が設けられ室温と設定温度の差に応じて温風ファン６５の運転を制御するように構成したり、熱交換器５４近傍にバイメタル式の温度スイッチ（図示せず）を設けて冷風防止動作を行うように構成されている。そうして、一般的にはこのバイメタル式の温度スイッチが温水を検知して所定の温度に上昇すると放熱機６３の動作を開始して室内に温風を吹き出すというものであった。
【０００４】
【発明が解決しようとする課題】
しかしながら、従来の温水暖房装置においては、運転停止時は使用者が意図的に運転を停止させようとして操作するわけであり、温風ファンを即時停止させ、可変翼２３も閉止（略垂直方向に移動）させる動作が要求される。
【０００５】
しかし、室温が設定温度より上昇して放熱機６３の動作を停止させる室温サーモＯＦＦ時や温水温度が設定温度より上昇して熱源機６０の動作を停止する温水サーモＯＦＦ時には、あくまで運転中の動作として室温の上昇や温水温度の低下に対応するものであり、使用者に気づかれにくい動作で停止する方が望ましい。
【０００６】
もし、これを通常の運転停止と同じく即時停止するようにすると、例えば強風量にて動作中に突然温風ファンが停止し、可変翼２３も最大角度から略垂直位置まで一気に動作するようなことが起こり、使用者にとっては異常停止したかのごとく違和感を感じることとなる。
【０００７】
また、逆に温水サーモＯＦＦ時にはできるだけ早急に停止しないと、温水温度が低いため冷風となって吹き出されてしまうこととなり、使用者にとっては不快なものとなってしまうという問題もあった。
【０００８】
さらに、室温サーモＯＦＦ時に早急に温風ファンを停止してしまうと、熱源機１で熱せられる温水の温度も急激に上昇してしまい、室温サーモＯＦＦとして室温を下げたい条件であるにもかかわらず、温水が使用温度範囲の最高温度近辺で保持してしまうこととなるので室温制御にも悪影響を及ぼすという問題があった。
【０００９】
しかし、先に説明したように運転停止以外で放熱機６３を停止するときは、できるだけ停止したことを気づかれないような停止形態を採り、使用者が違和感を感じるようなことは避けたい。
【００１０】
また、逆に先に説明したように室温サーモＯＦＦ時には、温水温度が高温となるので、できるだけ放熱量を抑えることも必要である。
【００１１】
以上のように機器の条件により運転停止の際に様々な問題が発生し、使用者にとっては使いにくいものとなってしまうという課題を有していた。
【００１２】
【課題を解決するための手段】
本発明は上記従来の課題を解決するため、機器の運転または停止を指示する運転制御部と、バーナ部と、このバーナ部の燃焼により発生する燃焼熱で温水を加熱するための温水熱交換器と、この温水熱交換器に連設し温水を循環する温水循環手段と、温水温度を検出する温水温度検出器と、この温水温度検出器からの温度信号を温水温度データに変換する温水温度演算部と、温水温度設定を行う温水温度設定部と、この温水温度設定値と前記温水温度データを比較する第２比較部と、この第２比較部の比較結果により燃焼を制御する燃焼量制御部および燃焼制御部を備えた熱源機と、前記温水循環手段により温水熱交換器で加熱された温水の循環経路を形成する温水管経路と、この温水管経路の一端に設け前記温水熱交換器で加熱された温水を熱交換する熱交換器と、この熱交換器に送風して温風を吹き出す温風ファンと、温風吹出口に設け温風の吹出角度を可変する可変翼と、この可変翼の傾斜角度制御を行う可変翼制御部と、空気吸込口近傍に配設し室内の温度を検出する室温検出器と、この室温検出器からの温度信号を室温データに変換する室温演算部と、室温設定を行う室温設定部と、この室温設定値と前記室温データを比較する第１比較部と、この第１比較部の比較結果の信号により送風量を設定する送風量設定部と、前記運転制御部の運転指示が運転から停止に切り替わったことによる温風ファンの停止の場合と前記運転指示が運転中のままであり且つ前記送風量設定部からの送風量の指示が送風量ゼロ（温風ファン停止）の条件であった場合とを判別する温風ファン停止条件判別手段と、この温風ファン停止条件判別手段にて判別された内容が前記運転指示は運転中のままであり且つ前記送風量設定部からの送風量の指示が送風量ゼロ（温風ファン停止）の条件であった場合には、温風ファンを即停止させずに温風ファンを最低回転数まで所定時間をかけて徐々に落としていき、最低回転数に到達した時点で停止させるような温風ファン停止遅延手段と、この温風ファン停止遅延手段と前記送風量設定部の信号に基づき温風モータに動作信号を出力する送風量制御部を備えた放熱機で構成している。
【００１３】
上記発明によれば、通常の運転停止時には温風ファンは即停止するが、室温サーモＯＦＦ時や温水サーモＯＦＦ時には、回転数を徐々に下げていった後停止させるので、突然停止するような違和感もなく騒音値も抑えることができる。
【００１４】
また、上記構成に加えて、前記温風ファン停止条件判別手段にて、室温サーモＯＦＦと温水サーモＯＦＦとの区別も判断できるように構成し、室温サーモＯＦＦの場合のみ回転数を徐々に下げるようにすることで、温水の温度上昇を抑えるとともに、温水サーモＯＦＦ時には即停止させることで、冷風防止の効果も上げることができる。
【００１５】
また、上記温風ファンおよび温風ファン停止条件判別手段の判定結果に基づき、運転の停止時に行う可変翼の閉止動作を行わないようにすることで、突然可変翼が閉止動作を実施するような違和感もなく騒音値も抑えることができ、また室温サーモＯＦＦ時などの放熱機からの放熱を抑えることができる。
【００１６】
【発明の実施の形態】
請求項１の発明は、機器の運転または停止を指示する運転制御部と、バーナ部と、このバーナ部の燃焼により発生する燃焼熱で温水を加熱するための温水熱交換器と、この温水熱交換器に連設し温水を循環する温水循環手段と、温水温度を検出する温水温度検出器と、この温水温度検出器からの温度信号を温水温度データに変換する温水温度演算部と、温水温度設定を行う温水温度設定部と、この温水温度設定値と前記温水温度データを比較する第２比較部と、この第２比較部の比較結果により燃焼を制御する燃焼量制御部および燃焼制御部を備えた熱源機と、前記温水循環手段により温水熱交換器で加熱された温水の循環経路を形成する温水管経路と、この温水管経路の一端に設け前記温水熱交換器で加熱された温水を熱交換する熱交換器と、この熱交換器に送風して温風を吹き出す温風ファンと、温風吹出口に設け温風の吹出角度を可変する可変翼と、この可変翼の傾斜角度制御を行う可変翼制御部と、空気吸込口近傍に配設し室内の温度を検出する室温検出器と、この室温検出器からの温度信号を室温データに変換する室温演算部と、室温設定を行う室温設定部と、この室温設定値と前記室温データを比較する第１比較部と、この第１比較部の比較結果により送風量を設定する送風量設定部と、前記運転制御部の運転指示が運転から停止に切り替わったことによる温風ファンの停止の場合と前記運転指示が運転中のままであり且つ前記送風量設定部からの送風量の指示が送風量ゼロ（温風ファン停止）の条件であった場合とを判別する温風ファン停止条件判別手段と、この温風ファン停止条件判別手段にて判別された内容が前記運転指示は運転中のままであり且つ前記送風量設定部からの送風量の指示が送風量ゼロ（温風ファン停止）の条件であった場合には、温風ファンを即停止させずに温風ファンを最低回転数まで所定時間をかけて徐々に落としていき、最低回転数に到達した時点で停止させるような温風ファン停止遅延手段と、この温風ファン停止遅延手段と前記送風量設定部の信号に基づき温風モータに動作信号を出力する送風量制御部を備えた放熱機とを有するものである。
【００１７】
そして、通常の運転停止時には温風ファンは即停止するが、室温サーモＯＦＦ時や温水サーモＯＦＦ時には、回転数を徐々に下げていった後停止させるので、突然停止するような違和感もなく騒音値も抑えることができる。
【００１８】
また、請求項２の発明は、前記送風量設定部による送風量の設定要因として、前記温風ファンの送風量を室温設定値と室温の比較結果に基づいて設定される送風量目標値１と前記温水温度演算部の温水温度データに応じて設定された送風量目標値２の比較結果により設定するように構成し、前記温風ファン停止条件判別手段にて前記運転指示が運転中のままであり且つ前記送風量設定部からの送風量の指示が送風量ゼロ（温風ファン停止）の条件であると判別した際に、それが送風量目標値１によるものか送風量目標値２によるものなのかも判別するようにすることで、この温風ファン停止条件判別手段にて判別された内容が前記運転指示は運転中のままであり且つ前記送風量設定部からの送風量の指示が送風量目標値１による送風量ゼロ（温風ファン停止）の条件であった場合には、温風ファンを即停止させずに温風ファンを最低回転数まで所定時間当たり所定回転数づつ徐々に回転数を落としていき、最低回転数に到達した時点で停止させるような温風ファン停止遅延手段とを有するものである。
【００１９】
そして、室温サーモＯＦＦの場合のみ回転数を徐々に落とすようにすることで、温風ファン停止時の温水の温度上昇を抑えるとともに、温水サーモＯＦＦ時には即停止させることで、冷風防止の効果もより上げることができる。
【００２０】
また、請求項３の発明は、前記可変翼制御部は温風ファン停止のタイミングにて可変翼の傾斜角度を略垂直角度（温風吹出口を閉める角度）に動作させるように構成したものである。
【００２１】
そして、温風ファンの回転数を徐々に落としていく場合には、可変翼を一気に閉止角度まで動作させるのではなく、温風ファンに連動して徐々に下向き角度に切り替えていき、温風ファンが停止した時点で可変翼も閉止させるようにするため、突然閉止するような違和感もなく騒音値も抑えることができる。
【００２２】
また、請求項４の発明は、前記可変翼制御部は前記温風ファン停止条件判別手段にて判別された内容が前記運転指示は運転中のままであり且つ前記送風量設定部からの送風量の指示が送風量ゼロ（温風ファン停止）の条件であった場合には、温風ファンが停止しても可変翼の傾斜角度を略垂直角度（温風吹出口を閉める角度）に動作させずに特定角度にて設定するように構成したものである。
【００２３】
そして、通常の運転停止以外の場合には、温風ファンが停止しても可変翼は開いたまますることで、突然閉止するような違和感もなく騒音値も抑えることができるとともに、室温サーモＯＦＦや温水サーモＯＦＦでは運転中のであるため、温風ファンの停止であっても弱風量の延長線上という位置付けでわずかでも放熱させることができる。
【００２４】
また、請求項５の発明は、前記可変翼制御部は前記温風ファン停止条件判別手段にて判別された内容が前記運転指示は運転中のままであり且つ前記送風量設定部からの送風量の指示が前記送風量目標値１による送風量ゼロ（温風ファン停止）の条件であった場合には、温風ファンが停止しても可変翼の傾斜角度を略垂直角度（温風吹出口を閉める角度）に動作させずに特定角度にて設定するように構成したものである。
【００２５】
そして、室温サーモＯＦＦの場合には、温風ファンが停止しても可変翼は開いたまますることで、突然閉止するような違和感もなく騒音値も抑えることができるとともに、室温サーモＯＦＦでは運転中のであるため、温風ファンの停止であっても弱風量の延長線上という位置付けでわずかでも放熱させることができるとともに、温水サーモＯＦＦでは、温水温度が低下しているのでできるだけ放熱量を抑えることができる。
【００２６】
また、請求項６の発明は、前記可変翼制御部は前記温風ファン停止条件判別手段にて判別された内容が前記運転指示は運転中のままであり且つ前記送風量設定部からの送風量の指示が前記送風量目標値２による送風量ゼロ（温風ファン停止）の条件であった場合には、温風ファンが停止しても可変翼の傾斜角度を略垂直角度（温風吹出口を閉める角度）に動作させずに特定角度にて設定するように構成したものである。
【００２７】
そして、温水サーモＯＦＦの場合には、温風ファンが停止しても可変翼は開いたまますることで、突然閉止するような違和感もなく騒音値も抑えることができるとともに、室温サーモＯＦＦの場合には室温の温度上昇を極力抑えたいので、できるだけ放熱量を抑える必要があるので可変翼を閉止する方がよいが、温水サーモＯＦＦでは運転中のであるため、温水温度が低下したといっても３０〜５０℃近辺にはあるので、温風ファンの停止であっても弱風量の延長線上という位置付けでわずかでも放熱させることができる。
【００２８】
【実施例】
以下本発明の実施例について図面に基づき説明する。
【００２９】
（実施例１）
図１は本発明の実施例１の温水暖房装置の構成図である。
【００３０】
まず、図１を用いて本発明の実施例１の温水暖房装置の構成を説明する。
１は温水を加熱するための室外に設置する熱源機で、バーナ部２と温水熱交換器３と給水用の水タンク４と温水を循環するための温水循環手段５などで構成し、燃焼用空気を給気フタ１３を介して給気パイプ６より取り入れ、バーナモータ７によりバーナファン８を介して前記バーナ部２に送風する。
【００３１】
燃料は別設タンク（図示せず）より燃料ポンプ９で供給し前記バーナモータ７に取り付けたフリキリファン１０で霧化状にして気化筒１１の内壁面に吹きつける。
【００３２】
気化筒１１は予め所定の温度に加熱されており吹き付けられた燃料は気化して前記燃焼用空気と混合して前記バーナ部２に供給され、この混合ガスに点火して燃焼が開始される。
【００３３】
燃焼ガスは熱交換器部１２に入り温水熱交換器３で熱交換され排気トップ１４より室外に排出される。
【００３４】
温水経路は水タンク４から温水パイプ１５ａを介して温水循環手段５に送られ、出口に接続された温水パイプ１５ｂで前記温水熱交換器３を経由して温水パイプ１５ｃより配管接続部１６に導かれている。
【００３５】
この配管接続部１６には往きと戻りの接続口が設けられており、往き側に温水パイプ１５ｄを用いて室内に設置する放熱機１８の入口側に接続し、出口より温水パイプ１５ｅで前記配管接続部１６の戻り側に接続し、この戻り側と水タンク４を温水パイプ１５ｆで接続して温水の経路を形成している。
【００３６】
放熱機１８は熱交換器１９と温風ファン２０とこの温風ファン２０を駆動する温風モータ２１と温風吹出口２２に設けた可変翼２３とこの可変翼２３を駆動する可変翼駆動手段２４などで構成し、前記温水熱交換器３で熱交換され加熱された温水を前記温水経路により循環して熱交換器１９に温風ファン２０で室内空気を送風することにより温風として温風吹出口２２より吹き出すようにしている。
【００３７】
２５は放熱機側に設けた操作部で運転制御部２６に運転信号や温度設定信号などを送って放熱機１８の運転を制御する。
【００３８】
２７は室温設定部で操作部２５の設定信号により設定され、放熱機１８の背面など空気取り入れ口近傍に設けられた室温検出器２８と室温検出部２９で求められる室温データを第１比較部３０で比較しその比較結果に基づいて温風モータ２１の回転数すなわち温風ファン２０の送風量を設定したり、可変翼制御部３１を介して可変翼駆動手段２４を駆動し可変翼２３の傾斜角度を制御する。
【００３９】
３２は送風量制御部で前記第１比較部３０の比較結果により温風モータ２１の回転数を制御し、前記可変翼２３の傾斜角度制御と併せて室温分布の改善を図り、快適な居住空間を提供する。
【００４０】
３３は第１通信手段で前記運転制御部２６の信号を通信線３４を介して熱源機１に設けた第２通信手段３５に送り熱源機１の運転制御を行う。
【００４１】
３６は燃焼制御部で前記第２通信手段３５の信号で動作を開始し、燃焼制御、温水温度制御、温水循環手段の運転制御などを行う。
【００４２】
３７は温水温度設定部で、燃焼制御部３６の設定信号により設定され、温水熱交換器３の出口に配設された温水温度検出器３８と温水温度演算部３９で求められる温水温度データを第２比較部４０で比較し、その比較結果に基づいて燃焼量制御部４１を介してモータ制御部４２とポンプ制御部４３に動作信号を供給しあらかじめ設定された手順に従ってバーナモータ７と燃料ポンプ９を駆動して燃焼を行う。
【００４３】
４４は温水循環手段制御部で前記燃焼制御部３６の信号により温水循環手段５を制御する。
【００４４】
そうして、温水温度検出器３８にて検知した温水温度の情報を前記温水温度演算部３９にて温水温度データに変換され、このデータを通信手段を経由して送風量設定部４７に入力される。
【００４５】
送風量設定部４７では、前記温水温度データの入力データが所定の温度に上昇すると放熱機１８の動作を開始して室内に温風を吹き出し、温水温度がさらに上昇するに従って、温風量を上げていき所定の温風量に達するように制御する。
【００４６】
また、逆に所定の温風を出している時に温水温度の低下を検知すると、そのままの温風量では冷風となるので風量を落としていき、所定温度以下となれば温風を停止させるというものである。
【００４７】
図２に放熱機１８の詳細な構成を示す。温風ファンの吸い込み動作を用いた構成を示すもので矢印で示す如く本体背面より室内空気を吸い込み、フィルター４５を介して上部に配設された熱交換器１９で熱交換し、温風ファン２０で下部に設けた温風吹出口２２より温風として室内に吹き出すようにし、温風吹出口２２には可変翼２３を配設し、送風量に応じて吹出角度を図６のＸ〜Ｚの範囲で制御するようにしている。
【００４８】
また、運転が停止しているときには、可変翼２３は略垂直方向の位置（図２のＳ位置）となり温風吹出口２２を塞ぐように構成されている。
【００４９】
５０は温風ファン停止条件判別手段であり、前記運転制御部２６からの運転信号Ｓ５０ａと前記送風量設定部４７の送風量のデータ信号Ｓ５０ｂを受けて、運転指示は運転中であり且つ送風量の指示が送風量ゼロ（温風ファン停止）の条件であった場合には温風停止遅延指示信号Ｓ５０ｃを出力する。
【００５０】
５１は温風ファン停止遅延手段であり、前記温風停止遅延指示信号Ｓ５０ｃを入力すると、前記送風量制御部３２に対して温風ファンを即停止させずに温風ファンを最低回転数まで所定時間をかけて徐々に落としていき、最低回転数に到達した時点で停止させるような送風量の設定値の指示信号Ｓ５１を出力する。
【００５１】
上記構成によって、送風量制御部３２では、送風量設定部４７からの送風量の指示がが送風量ゼロ（温風ファン停止）の条件であった場合でも、前記温風ファン停止遅延手段５１の遅延送風量の指示信号Ｓ５１が入力されていれば、すぐに温風ファンを停止させずに、徐々に回転数を落としていき、最低回転数に到達した時点で停止するような動作をとるようになる。
【００５２】
そして、通常の運転停止時には温風ファンは即停止するが、室温サーモＯＦＦ時や温水サーモＯＦＦ時には、回転数を落としていった後停止させるので、突然停止するような違和感もなく騒音値も抑えることができる。
【００５３】
（実施例２）
まず、図３を用いて本発明の実施例２の温水暖房装置の構成を説明する。
【００５４】
尚、図１と同一番号のものは説明を省略し相違のあるものについてのみ説明する。
【００５５】
温風ファン停止条件判別手段５０として、前記運転制御部２６からの運転信号Ｓ５０ａと前記第１比較部３０からの送風量データ１の信号Ｓ５０ｄと前記温水温度演算部３９から通信手段を経由して入力された送風量データ２の信号Ｓ５０ｅを受けて、運転指示は運転中であり且つ送風量データ１による指示が送風量ゼロ（温風ファン停止）の条件であった場合には温風停止遅延指示信号Ｓ５０ｃを出力する。
【００５６】
つまり、送風量データ１の内容が送風量ゼロ（温風ファン停止）の条件とは、室温サーモＯＦＦによる温風ファン停止の条件である場合を示し、この場合の停止時のみ以下の処理を実施する。
【００５７】
５１は温風ファン停止遅延手段であり、前記温風停止遅延指示信号Ｓ５０ｃを入力すると、前記送風量制御部３２に対して温風ファンを即停止させずに温風ファンを最低回転数まで所定時間をかけて徐々に落としていき、最低回転数に到達した時点で停止させるような送風量の設定値の指示信号Ｓ５１を出力する。
【００５８】
上記構成によって、送風量制御部３２では、送風量設定部４７からの送風量の指示がが送風量ゼロ（温風ファン停止）の条件であった場合でも、前記温風ファン停止遅延手段５１の遅延送風量の指示が入力されていれば、すぐに温風ファンを停止させずに、徐々に回転数を落としていき、最低回転数に到達した時点で停止するような動作をとるようになる。
【００５９】
そして、室温サーモＯＦＦの場合のみ回転数を徐々に落とすようにすることで、温風ファン停止時の温水の温度上昇を抑えるとともに、温水サーモＯＦＦ時には即停止させることで、冷風防止の効果もより上げることができる。
【００６０】
（実施例３）
まず、図４を用いて本発明の実施例３の温水暖房装置の構成を説明する。
【００６１】
尚、図１と同一番号のものは説明を省略し相違のあるものについてのみ説明する。
【００６２】
前記送風量制御部３２において、温風ファン停止遅延手段５１からの温風停止遅延指示信号と５１を入力すると、前記温風モータ２１に対して温風ファンを即停止させずに温風ファンを最低回転数まで所定時間をかけて徐々に落としていき、最低回転数に到達した時点で停止させるような送風量の設定値の指示信号Ｓ３２を出力する。
【００６３】
したがって、送風量設定部４７の出力指示が送風量ゼロ（温風ファン停止）の条件であってもすぐに温風ファンは停止しない場合もあるので、可変翼駆動部３１では前記送風量設定部４７の送風量指示信号Ｓ４７以外にも、送風量制御部３２からの出力信号Ｓ３２を入力させるような構成とすることで、温風ファンが停止したタイミングにて可変翼２３を停止させることができる。
【００６４】
これによって、温風ファンの回転数を徐々に落としていく場合には、可変翼を一気に閉止角度まで動作させるのではなく、温風ファンに連動して徐々に下向き角度に切り替えていき、温風ファンが停止した時点で可変翼も閉止させるようにするため、突然閉止するような違和感もなく騒音値も抑えることができる。
【００６５】
（実施例４）
まず、図５を用いて本発明の実施例４の温水暖房装置の構成を説明する。
【００６６】
尚、図１と同一番号のものは説明を省略し相違のあるものについてのみ説明する。
【００６７】
前記可変翼制御部３１では、前記送風量設定部４７の送風量指示信号Ｓ４７以外にも、前記温風ファン停止条件判別手段にて判別された結果の信号Ｓ５０ｆを入力するように構成することで、前記運転指示は運転中のままであり且つ前記送風量設定部からの送風量の指示が送風量ゼロ（温風ファン停止）の条件であることを確認し、その場合には温風ファンが停止しても可変翼の傾斜角度を略垂直角度（温風吹出口を閉める角度）に動作させずにあらかじめ設定された特定角度にて設定するように構成する。これによって、通常の運転停止以外の場合には、温風ファンが停止しても可変翼は開いたまますることで、突然閉止するような違和感もなく騒音値も抑えることができるとともに、室温サーモＯＦＦや温水サーモＯＦＦでは運転中のであるため、温風ファンの停止であっても弱風量の延長線上という位置付けでわずかでも放熱させることができる。
【００６８】
また、前記可変翼制御部３１での判別処理として、前記温風ファン停止条件判別手段にて判別された結果の信号Ｓ５０ｆが前記運転指示は運転中のままであり且つ前記送風量設定部からの送風量の指示が前記送風量目標値１による送風量ゼロ（室温サーモＯＦＦによる温風ファン停止）の条件であることを確認し、その場合には温風ファンが停止しても可変翼の傾斜角度を略垂直角度（温風吹出口を閉める角度）に動作させずにあらかじめ設定された特定角度にて設定するように構成する。
【００６９】
これによって、室温サーモＯＦＦの場合には、温風ファンが停止しても可変翼は開いたまますることで、突然閉止するような違和感もなく騒音値も抑えることができるとともに、室温サーモＯＦＦでは運転中のであるため、温風ファンの停止であっても弱風量の延長線上という位置付けでわずかでも放熱させることができるとともに、温水サーモＯＦＦでは、温水温度が低下しているので可変翼を閉止させることでできるだけ放熱量を抑えることができる。
【００７０】
また、前記可変翼制御部３１での判別処理として、前記温風ファン停止条件判別手段にて判別された結果の信号Ｓ５０ｆが前記運転指示は運転中のままであり且つ前記送風量設定部からの送風量の指示が前記送風量目標値２による送風量ゼロ（温水サーモＯＦＦによる温風ファン停止）の条件であることを確認し、その場合には温風ファンが停止しても可変翼の傾斜角度を略垂直角度（温風吹出口を閉める角度）に動作させずにあらかじめ設定された特定角度にて設定するように構成する。
【００７１】
これによって、温水サーモＯＦＦの場合には、温風ファンが停止しても可変翼は開いたまますることで、突然閉止するような違和感もなく騒音値も抑えることができるとともに、室温サーモＯＦＦの場合には室温の温度上昇を極力抑えたいので、できるだけ放熱量を抑える必要があるので可変翼を閉止する方がよいが、温水サーモＯＦＦでは運転中のであるため、温水温度が低下したといっても３０〜５０℃近辺にはあるので、温風ファンの停止であっても弱風量の延長線上という位置付けでわずかでも放熱させることができる。
【００７２】
【発明の効果】
以上説明したように請求項１の発明によれば、通常の運転停止時には温風ファンは即停止するが、室温サーモＯＦＦ時や温水サーモＯＦＦ時には、回転数を落としていった後停止させるので、突然停止するような違和感もなく騒音値も抑えることができる。
【００７３】
また、請求項２の発明によれば、室温サーモＯＦＦの場合のみ回転数を徐々に落とす用にすることで、温風ファン停止時の温水の温度上昇を抑えるとともに、温水サーモＯＦＦ時には即停止させることで、冷風防止の効果もより上げることができる。
【００７４】
また、請求項３の発明によれば、温風ファンの回転数を徐々に落としていく場合には、可変翼を一気に閉止角度まで動作させるのではなく、温風ファンに連動して徐々に下向き角度に切り替えていき、温風ファンが停止した時点で可変翼も閉止させるようにするため、突然閉止するような違和感もなく騒音値も抑えることができる。
【００７５】
また、請求項４の発明によれば、通常の運転停止以外の場合には、温風ファンが停止しても可変翼は開いたまますることで、突然閉止するような違和感もなく騒音値も抑えることができるとともに、室温サーモＯＦＦや温水サーモＯＦＦでは運転中のであるため、温風ファンの停止であっても弱風量の延長線上という位置付けでわずかでも放熱させることができる。
【００７６】
また、請求項５の発明によれば、、室温サーモＯＦＦの場合には、温風ファンが停止しても可変翼は開いたまますることで、突然閉止するような違和感もなく騒音値も抑えることができるとともに、室温サーモＯＦＦでは運転中のであるため、温風ファンの停止であっても弱風量の延長線上という位置付けでわずかでも放熱させることができるとともに、温水サーモＯＦＦでは、温水温度が低下しているので可変翼を閉止させることでできるだけ放熱量を抑えることができる。
【００７７】
また、請求項６の発明によれば、温水サーモＯＦＦの場合には、温風ファンが停止しても可変翼は開いたまますることで、突然閉止するような違和感もなく騒音値も抑えることができるとともに、室温サーモＯＦＦの場合には室温の温度上昇を極力抑えたいので、できるだけ放熱量を抑える必要があるので可変翼を閉止する方がよいが、温水サーモＯＦＦでは運転中のであるため、温水温度が低下したといっても３０〜５０℃近辺にはあるので、温風ファンの停止であっても弱風量の延長線上という位置付けでわずかでも放熱させることができる。
【図面の簡単な説明】
【図１】本発明の実施例１の温水暖房装置の構成図
【図２】同温水暖房装置の放熱機の構成を示す図
【図３】本発明の実施例２の温水暖房装置の構成図
【図４】本発明の実施例３の温水暖房装置の構成図
【図５】本発明の実施例４の温水暖房装置の構成図
【図６】従来の温水暖房装置の構成図
【符号の説明】
１  熱源機
２  バーナ部
３  温水熱交換器
５  温水循環手段
１８  放熱機
１９  熱交換器
２０  温風ファン
２３  可変翼
２６  運転制御部
２８  室温検出器
２９  室温演算部
３０  第１比較部
３１  可変翼制御部
３２  送風量制御部
３３  第１通信手段
３５  第２通信手段
３６  燃焼制御部
３８  温水温度検出器
３９  温水温度演算部
４０  第２比較部
４７  送風量設定部
５０  温風ファン停止条件判別手段
５１  温風ファン停止遅延手段
【図１】
0003807054.tif 000002
【図２】
0003807054.tif 000003
【図３】
0003807054.tif 000004
【図４】
0003807054.tif 000005
【図５】
0003807054.tif 000006
【図６】
0003807054.tif 000007